(57)【要約】【課題】空調が適正になされているか否かの診断を行うときに便利な空気調和機を提供する。【解決手段】記憶部１２は、ある日から所定日数までの各日（ｍ日目）における設定温度ＴＳと室内温度Ｔｉとの差の最大値ΔＴｍをその最大値が記録された日時とともに最大温度差テーブル１７として記憶する。また、記憶部１２は、空気調和機１０の運転開始から現在までの間にｔ＞ｔｍａｘとなった回数を記憶する。表示部１４は、空気調和機１０の運転開始から現在までの間にｔ＞ｔｍａｘとなった回数及び最大温度差テーブル１７の内容を表示する。【選択図】　　　図１
2004003728.tif 000002
【特許請求の範囲】
【請求項１】
空気調和を行う空調運転手段（１３）と、
前記空調運転手段（１３）の作動時において、前記空気調和に関する診断を行うときに利用するための診断時利用情報を記憶する記憶手段（１２）と、
を備えた空気調和機（１０）。
【請求項２】
前記診断時利用情報は、前記空調運転手段（１３）の連続作動時間が所定の許容連続作動時間を超えたことに関する情報である、
請求項１に記載の空気調和機（１０）。
【請求項３】
前記空調運転手段（１３）は、設定温度に室内温度が近づくように空気の温度を調整する空調運転を行い、
前記診断時利用情報は、所定のタイミングで取得される前記設定温度と前記室内温度との差に関する情報である、
請求項１に記載の空気調和機（１０）。
【請求項４】
請求項１から３のいずれかに記載の空気調和機（１０）の記憶手段（１２）から前記診断時利用情報を取得する第１ステップと、
前記第１ステップにおいて取得した前記診断時利用情報を基に、前記空気調和機（１０）が適切に作動しているかについて診断する第２ステップと、
を備えた空気調和機の診断方法。
【発明の詳細な説明】
【０００１】
【発明の属する技術分野】
本発明は、空気調和機および空気調和機の診断方法に関する。
【０００２】
【従来の技術】
空気調和機には、その運転に関する情報、例えば空調の目標となる目標温度や、連続して運転する時間の最大値である許容連続運転時間をリモコン等により設定できるものが存在する。これらの設定値に基づき、空気調和機の制御部は、目標温度と室内温度とを一致させるように運転したり、空気調和機の連続運転時間運転が許容連続運転時間に達したときに空気調和機の運転を停止させたりすることになる。
【０００３】
【発明が解決しようとする課題】
しかし、空気調和機の連続運転時間が許容連続運転時間に達した過去の履歴や、目標温度と室内温度とが一致せず両者の差が埋まらなかった履歴などは存在しないため、実際の運転が適切になされているか否かの診断を行う際に不都合である。
【０００４】
本発明は、空調が適正になされているか否かの診断を行うときに便利な空気調和機および空気調和機の診断方法を提供することを目的とする。
【０００５】
【課題を解決するための手段】
請求項１に係る空気調和機は、空調運転手段と、記憶手段とを備えている。空調運転手段は、空気調和を行う。記憶手段は、空調運転手段の作動時において、空気調和に関する診断を行うときに利用するための診断時利用情報を記憶する。
ここでは、空調運転手段の作動時において、診断時利用情報がＦＲＯＭ（不揮発性メモリ）などの記憶手段に記憶される。ここで、診断とは、空調運転が適切になされているか否かの判断であり、例えば空調運転の連続時間が所定の許容連続運転時間を超えた場合に適切に運転がなされていないと判断するなどである。また、診断時利用情報とは、例えば空調運転の連続時間である。
【０００６】
このように、ここでは記憶された診断時利用情報を用いることで空調が適正になされているか否かの診断を行うことが可能である。
請求項２に係る空気調和機は、請求項１に係る空気調和機において、診断時利用情報は、空調運転手段の連続作動時間が所定の許容連続作動時間を超えたことに関する情報である。
【０００７】
ここでは、空調運転手段の連続作動時間が所定の許容連続作動時間を超えたことに関する情報、例えば空調運転の連続時間が所定の許容連続運転時間を所定期間内に超えた回数や、超えた日時などが記憶される。
このように、ここでは所定期間内に連続作動時間が所定の許容連続作動時間を超えた回数や、超えた日時などを空気調和機の診断に用いることができる。例えば、空気調和機の利用者は、所定期間ごとに空調運転の連続時間が所定の許容連続運転時間を超えた回数を参照することで、空気調和機の切り忘れがあったことや、その回数の多い少ないを知ることができ、空気調和機の切り忘れ防止や省エネに役立てることが可能である。また、空気調和機の診断者は、その空気調和機の利用者の切り忘れの回数を知ることができ、回数が多い場合は、空気調和機をスケジュールに従って運転制御するスケジュール制御装置の導入が必要である旨の提案をその利用者にすることができる。
【０００８】
請求項３に係る空気調和機は、請求項１に係る空気調和機において、空調運転手段は、設定温度に室内温度が近づくように空気の温度を調整する空調運転を行う。診断時利用情報は、所定のタイミングで取得される設定温度と室内温度との差に関する情報である。
ここでは、あるタイミングで取得された設定温度と室内温度との差に関する情報、例えば算出した差とその算出時刻や、差が所定値以上になった回数などが記憶される。
【０００９】
このように、ここでは算出した差とその算出日時や、差が所定値以上になった回数などを空気調和機の診断に用いることができる。例えば、この差が大きい日が何日もある場合、空気調和機が能力不足であると判断できる。また、この場合、空気調和機の診断者は、さらに能力の大きな空気調和機の導入の提案をすることが可能である。
【００１０】
請求項４に係る空気調和機の診断方法は、第１ステップと、第２ステップとを備えている。第１ステップでは、請求項１から３のいずれかに記載の空気調和機の記憶手段から、診断時利用情報を取得する。第２ステップでは、第１ステップにおいて取得した診断時利用情報を基に、空気調和機が適切に作動しているかについて診断する。
【００１１】
ここでは、空調運転の連続時間や設定温度と室内温度との差といった診断時利用情報を、まず空気調和機の診断時の第１ステップにおいて空気調和機の記憶部から取得する。そして、空調運転の連続時間が長いことが多く利用者による電源の切り忘れがあるといったことや、設定温度と室内温度との差が大きい時間が多く空気調和機の能力不足があるといったことを、第２ステップにおいて診断する。
【００１２】
このように、定常的に空気調和機の記憶部に記憶される診断時利用情報を利用して空気調和機の診断を行うと、診断時に一時的に収集した情報を基にして診断を行う場合に較べて、質の高い効果的な診断を行うことができる。
【００１３】
【発明の実施の形態】
＜第１実施形態＞
図１は、本発明を利用した空気調和機１０の全体構成図である。この空気調和機１０は、室内機１と、サーミスタ２と、リモコン３と、室外機４を備えている。室温サーミスタ２は、室内温度Ｔｉを検知し室内機１に送信する。リモコン３は、室内機１の設定温度ＴＳの入力を受け付ける。
【００１４】
室外機４は、圧縮機４ａと、四路切換弁と、室外熱交換器と、室外送風機（図示せず）とを有している。室内機１は、図示しない室内熱交換器と室内送風機とを有している。そして、圧縮機４ａ、四路切換弁、室外熱交換器、室内熱交換機及び圧縮機２ａを順次冷媒配管にて環状に接続して冷媒を循環させる冷房サイクルを形成する。また、圧縮機４ａ、四路切換弁、室内熱交換機、室外熱交換器及び圧縮機４ａを順次冷媒配管にて環状に接続して冷媒を循環させる暖房サイクルを形成する。これらの運転の指令は、後述の空調運転指令部１３により行われる。
【００１５】
室内機１は、制御部１１と、記憶部１２と、表示部１４とを有している。記憶部１２は、ＤＲＡＭ１５とＦＲＯＭ１６とを有している。ＦＲＯＭ１６には、最大温度差テーブル１７が記憶される。制御部１１は、空調運転指令部１３を有しており、室内温度Ｔｉを設定温度ＴＳに一致させるような制御指令、例えば圧縮機４ａの回転数を増減させる指令を行う。表示部１４は、所定の情報を表示する。
【００１６】
図２は、最大温度差テーブル１７に記憶される情報の概念説明図である。このテーブルには、ある日から所定日数までの各日（ｍ日目）における室内温度Ｔｉと設定温度ＴＳとの差の最大値ΔＴｍをその最大値が記録された日時とともに記憶したものである。この情報は、後述の最大温度差記憶処理により記憶される。
［処理の流れ］
（１）連続運転時間超過回数記憶処理
図３は、連続運転時間超過回数記憶処理の流れを示すフローチャートである。この処理では、空調運転部１３の連続運転時間が最大運転予定時間ｔｍａｘを超えた回数が記憶され、リモコン３の操作により表示される。この処理は、空気調和機１０の運転開始時に開始する。
【００１７】
ステップＳ１１では、現在の連続運転時間ｔ＞ｔｍａｘか否かを判断する。ｔ＞ｔｍａｘの場合、ステップＳ１２へ移行する。ｔ＜＝ｔｍａｘの場合、ステップＳ１３へ移行する。なお、ｔｍａｘは、予めＦＲＯＭ１２２に記憶されているものとする。
ステップＳ１２では、ｊをインクリメントしてＦＲＯＭ１２２に記憶する。なお、ｊのデフォルト値は０である。
【００１８】
ステップＳ１３では、現在のｊの値を表示する指令がリモコン３からあったか否かを判断する。表示指令があった場合、ステップＳ１４へ移行する。表示指令がなかった場合、ステップＳ１１へ戻る。
ステップＳ１４では、現在のｊの値を表示部１４に表示させる。なお、空気調和機１０の運転とは無関係に現在のｊの値を所定時間ごとに表示部１４に表示させてもよい。
【００１９】
このように、現在のｊの値、即ち空気調和機１０の運転開始から現在までの間にｔ＞ｔｍａｘとなった回数がリモコン３の操作により表示部１４に表示されるため、空気調和機１０が最大運転予定時間ｔｍａｘを超えて連続運転された回数が把握できる。よって、例えば、空気調和機１０の利用者は、所定期間ごとに連続運転時間が所定の許容連続運転時間を超えた回数を参照することで、空気調和機１０の切り忘れがあったことや、その回数の多い少ないを知ることができ、空気調和機１０の切り忘れ防止や省エネに役立てることが可能である。また、空気調和機１０の診断者は、その空気調和機１０の利用者の切り忘れの回数を知ることができ、回数が多い場合は、空気調和機１０をスケジュールに従って運転制御するスケジュール制御装置の導入が必要である旨の提案をその利用者にすることができる。
【００２０】
（２）最大温度差記憶処理
図４は、最大温度差記憶処理の流れを示すフローチャートである。この処理では、ある日から所定日数までの各日（ｍ日目）における設定温度ＴＳと室内温度Ｔｉとの差の最大値ΔＴｍ（以下、最大温度差という）をその最大値が記録された日時とともに記憶され、記憶された内容がリモコン３の操作により表示される。この処理は、空気調和機１０の最初の起動時に開始する。
【００２１】
ステップＳ２０では、ｍ＝１としてＦＲＯＭ１２２に記憶する。
ステップＳ２１では、ｎ＝１としてＤＲＡＭ１２１に記憶する。
ステップＳ２２では、ΔＴｎ記憶サブルーチンが行われる。この処理では、現在の設定温度ＴＳが記憶されてから所定時間Ｔ１経過後、ΔＴｎ＝室内温度Ｔｉ−設定温度ＴＳが記憶される。この処理は後述する。
【００２２】
ステップＳ２３では、現在の日付がステップＳ２２の処理を行った日付から変わっているか否かを判断する。日付が変わっている場合、ステップＳ２４へ移行する。日付が変わっていない場合、ステップＳ２２へ戻る。
ステップＳ２４では、ＤＲＡＭ１２１に記憶されたΔＴｎ（ｎ＝１，２，・・）のうち最大のものをΔＴｍとして現在の時刻とともに最大温度差テーブル１２２１に記憶する。
【００２３】
ステップＳ２５では、ｍをインクリメントしてＦＲＯＭ１２２に記憶する。
ステップＳ２６では、ｍ＝ｍ０か否かを判断する。ｍ＝ｍ０の場合、ステップＳ２７へ移行する。ｍ＝ｍ０でない場合、ステップＳ２１へ戻る。なお、ｍ０は、ΔＴｍを記憶する回数を示し、予めＦＲＯＭ１２２に記憶されているものとする。例えば、６０回記憶する場合、ｍ０＝６０である。
【００２４】
ステップＳ２７では、最大温度差テーブル１２２１の内容を表示する指令がリモコン３からあったか否かを判断する。表示指令があった場合、ステップＳ２８へ移行する。表示指令がなかった場合、このステップを繰り返す。
ステップＳ２８では、最大温度差テーブルの内容を表示部１４に表示させる。
（３）ΔＴｎ記憶サブルーチン
図５は、ΔＴｎ記憶サブルーチンの処理の流れを示すフローチャートである。この処理は、最大温度差記憶処理がステップＳ２２に移行したときに開始する。
【００２５】
ステップＳ２２１では、現在の設定温度ＴＳをＤＲＡＭ２２１に記憶する。
ステップＳ２２２では、現在の設定温度ＴＳが記憶された設定温度ＴＳから変更されたか否かを判断する。変更された場合、最大温度差記憶処理のステップＳ２３へ戻る。変更されていない場合、ステップＳ２２３へ移行する。
ステップＳ２２３では、ステップＳ２２１の開始時から所定時間Ｔ１、例えば１時間が経過したか否かを判断する。経過した場合、ステップＳ２２４へ移行する。経過していない場合、ステップＳ２２２へ戻り、Ｔ１が経過するまでステップＳ２２２及びＳ２２３を繰り返す。なお、Ｔ１は、設定温度ＴＳの設定後空調運転が十分効果を生じるために必要な時間であり、予めＦＲＯＭ１２２に記憶されているものとする。
【００２６】
ステップＳ２２４では、ΔＴｎ＝室内温度Ｔｉ−設定温度ＴＳをＤＲＡＭ１２１に記憶する。
ステップＳ２２５では、ｎをインクリメントしてＤＲＡＭ１２１に記憶し、最大温度差記憶処理のステップＳ２３へ戻る。
このように、ある期間における各日の最大温度差が記憶された日時とともに表示されるため、例えばこの最大温度差が大きい日が何日もある場合、空気調和機１０が能力不足であるか、あるいは故障していると判断できる。また、この場合、空気調和機１０の診断者は、さらに能力の大きな空気調和機１０導入の提案をしたり、空気調和機１０の修理が必要である旨の提案することが可能である。
【００２７】
【発明の効果】
請求項１に係る発明では、記憶された診断時利用情報を用いることで空調が適正になされているか否かの診断を行うことができる。
請求項２に係る発明では、空調運転の連続時間が所定期間内に所定の許容連続運転時間を超えた回数や、超えた日時などを空気調和機の診断に用いることができる。
【００２８】
請求項３に係る発明では、設定温度と室内温度との差とその差の算出日時や、差が所定値以上になった回数などを空気調和機の診断に用いることができる。
請求項４に係る発明では、定常的に空気調和機の記憶部に記憶される診断時利用情報を利用して空気調和機の診断を行うため、診断時に一時的に収集した情報を基にして診断を行う場合に較べて、質の高い効果的な診断を行うことができる。
【図面の簡単な説明】
【図１】本発明を利用した空気調和機の全体構成図。
【図２】最大温度差テーブルに記憶される情報の概念説明図。
【図３】連続運転時間超過回数記憶処理の流れを示すフローチャート。
【図４】最大温度差記憶処理の流れを示すフローチャート。
【図５】ΔＴｎ記憶サブルーチンの処理の流れを示すフローチャート
【符号の説明】
１：室内機
２：サーミスタ
３：リモコン
４：室外機
４ａ：圧縮機
１０：空気調和機
１１：制御部
１２：記憶部
１３：空調運転指令部
１４：表示部
１５：ＤＲＡＭ
１６：ＦＲＯＭ
１７：最大温度差テーブル
【図１】
2004003728.tif 000003
【図２】
2004003728.tif 000004
【図３】
2004003728.tif 000005
【図４】
2004003728.tif 000006
【図５】
2004003728.tif 000007